(57)【要約】  シリコーン系要素を織物系要素に結合する方法が提供される。方法は、使用者が、結合を強化するために、繊維質材料を用いてシリコーン系要素を織物系要素に結合することを可能にするステップを含む。この方法に従い組み立てられたアセンブリも提供される。このアセンブリは、シリコーン、特に、ＰＤＭＳの高い生体適合性のため、特に、皮膚に配置されるのに好適である。
2016525461.tif 000002
【特許請求の範囲】
【請求項１】
シリコーン系要素を織物系要素に結合するための方法であって、
−  シリコーン材料を用意するステップと、
−  繊維質材料を用意するステップと、
−  前記繊維質材料を前記シリコーン材料で部分的に濡らすために、前記繊維質材料の第１の表面を前記シリコーン材料に係合させるステップと、
−  前記繊維質材料が前記シリコーン材料に部分的に埋め込まれるように、前記シリコーン材料を少なくとも部分的に硬化するステップと、
−  織物系要素を用意するステップと、
−  結合剤によって前記シリコーン系要素を前記織物系要素に結合するステップであって、前記繊維質材料中の繊維が、前記シリコーン系要素と前記織物系要素との間の前記結合を強化する、ステップと、
を含む、方法。
【請求項２】
前記結合剤が、前記繊維質材料又は前記織物系要素の少なくとも一方に塗布される、請求項１に記載の方法。
【請求項３】
前記繊維質材料が、繊維質シート又は個々の繊維を含む、請求項１又は２に記載の方法。
【請求項４】
前記繊維質材料を用意する前記ステップが、前記繊維質材料に前記結合剤をプレコーティングするステップを含む、請求項３に記載の方法。
【請求項５】
前記シリコーン系要素を前記織物系要素に結合する前記ステップが、前記シリコーン材料の硬化後、前記繊維質材料の前記第１の表面とは反対側の、前記繊維質材料の第２の表面に結合剤を塗布するステップを更に含む、請求項３に記載の方法。
【請求項６】
前記シリコーン系要素を前記織物系要素に結合する前記ステップが、前記繊維質材料の前記第２の表面が前記織物系要素に面した状態で、前記シリコーン系要素を前記織物系要素上に配置するステップと、前記結合剤を硬化するステップとを含む、請求項４又は５に記載の方法。
【請求項７】
−  シリコーン材料を型に注入するステップと、
−  シリコーン材料層をパターニングするステップであって、前記シリコーン材料層のシリコーン材料をそれぞれ局所的に添加又は除去することによって前記シリコーン材料層をパターニングするステップと、
−  前記シリコーン系要素を前記織物系要素に結合するための結合領域を画定するために、前記繊維質材料及び前記結合剤をパターニングするステップと、
の少なくとも１つによって前記シリコーン系要素をパターニングするステップを更に含む、請求項１乃至６のいずれか一項に記載の方法。
【請求項８】
前記シリコーン系要素を前記織物系要素に結合する前記ステップが、前記結合剤を熱活性化させるステップを含み、前記結合剤が、好ましくは、ポリウレタンである、請求項１乃至７のいずれか一項に記載の方法。
【請求項９】
−  シリコーン系要素であって、前記シリコーン系要素の少なくとも一部が繊維質材料及び結合剤を含む、シリコーン系要素と、
−  織物系要素と、
を含み、
−  前記シリコーン系要素が、前記織物系要素に結合可能である、
アセンブリ。
【請求項１０】
−  前記織物系要素が、電気的に活性の織物繊維を更に含み、前記電気的に活性の織物繊維が、前記電気的に活性の織物繊維の表面に取り付けられた少なくとも１つの電気的に活性の構成要素、好ましくはＬＥＤを含み、
−  前記シリコーン系要素が、少なくとも１つの透明若しくは半透明のキャップ、レンズ又はノブを更に含み、
−  前記少なくとも１つの透明又は半透明のキャップ、レンズ又はノブが前記少なくとも１つの電気的に活性の構成要素と整列されるように、前記シリコーン系要素と前記織物系要素とが互いに対して配置される、
請求項９に記載のアセンブリ。
【請求項１１】
−  繊維質材料及び結合剤を含む、シリコーン系要素と、
−  織物系要素と、
を含み、
−  前記アセンブリの通気性を増加させるために、前記シリコーン系要素及び前記織物系要素内に、位置合わせされた配向で穴が形成される、
請求項１０に記載のアセンブリ。
【請求項１２】
−  前記電気的に活性の織物繊維が、前記電気的に活性の織物繊維の表面に取り付けられた複数の電気的に活性の構成要素、好ましくはＬＥＤを更に含み、
−  前記穴が、前記複数の電気的に活性の構成要素の間の位置に形成され、前記穴が、気体又は液体の、前記電気的に活性の構成要素との接触を防止する、
請求項１１に記載のアセンブリ。
【請求項１３】
人体の少なくとも一部を照明する、請求項９乃至１２のいずれか一項に記載のアセンブリを含む身体照明デバイス。
【発明の詳細な説明】
【技術分野】
【０００１】
本開示は、シリコーン系要素を織物系要素に結合する方法に関する。更なる態様は、そのような方法に基づくアセンブリである。
【背景技術】
【０００２】
シリコーン系要素の使用は多くの分野において一般的である。シリコーンは、高い光透過性を有し、且つ生体適合性でもあるという魅力的な特性を有する。生体適合性は、「生体系に有毒又は有害な影響を及ぼさない性質」と定義される。これにより、シリコーンが、いかなる炎症も発生させることなく、人体などの身体に配置されることが可能になる。そのようなシリコーンの１つは、ポリジメチルシロキサン（ＰＤＭＳ：Polydimethylsiloxane）である。ＰＤＭＳは、利用されることになる物品が人体に接触する、特に、皮膚に接触する場合に好適な材料として広く選択されている。これは、ＰＤＭＳが、非炎症性及び非敏感性の挙動を呈することが理由である。ＰＤＭＳがヒトの皮膚に接触して用いられる場合の別の重要な事項は、蒸気及びエチレンオキサイド（ＥＴＯ：Ethylene Oxide）の両方での滅菌へのその適合性である。
【０００３】
織物は、人体などの身体の近傍に又は身体に直接着用するうえで非常に可撓性があり、快適であり、且つ皮膚適合性（skin compatible）のある材料である。
【０００４】
シリコーン及び織物を着用可能な若しくは皮膚適合性のデバイス又は衣服に組み合わせる場合には欠点がある。つまり、それらは、信頼性が高い又はコスト効果的な手法で互いに結合することが難しい。
【０００５】
従って、シリコーン要素と織物要素との間における改良された結合方法への要求が存在する。
【発明の概要】
【課題を解決するための手段】
【０００６】
第１の態様においては、請求項１によれば、ＰＤＭＳ系要素などのシリコーン系要素と、織物系要素との間の改良された結合方法が提供される。この方法は、シリコーン系要素と織物系要素との間の結合強度、及び従って結合信頼性を増加させる。
【０００７】
一実施形態においては、注型成形又は射出成形などの多くの技術によって実現され得るシリコーン系要素に対し、繊維が付与される。これら繊維は、シリコーン系要素が繊維質シートの少なくとも一部に浸透し且つ絡み合うように、シリコーン系要素に少なくとも部分的に接触するように配置された繊維質シートとして提供されてもよい。浸透及び絡み合いは、好ましくは、シリコーンが未硬化の状態にある間に成され、シリコーンを硬化させることによって完成させる。繊維質材料の少なくとも１つの部分の、シリコーンとの絡み合いは、繊維質材料とシリコーンとの間の結合強度を増加させるという利点を提供する一方で、繊維質材料の別の部分が更なる物質と自由に絡み合ったままにする。この更なる物質は、好ましくは、シリコーン／繊維質材料アセンブリを更なる要素に結合するための適切な結合剤である。
【０００８】
好適な実施形態においては、方法は、シリコーン系要素の繊維質表面を織物系要素の結合表面上に配置する追加のステップを含む。シリコーン系要素の繊維質表面の少なくとも一領域は、繊維質材料の一部を含む。
【０００９】
方法の更なる実施形態においては、織物系要素の結合表面上に繊維質表面を位置決め及び配置する前に、シリコーン系要素の繊維質表面に、結合剤をコーティング／予備含浸させてもよい。適切な結合剤の一例はポリウレタン（ＰＵ：Polyurethane）である。予備含浸には、繊維質材料をシリコーンと絡み合わせる前に繊維質材料を予備含浸させることを含んでもよく、或いは、予備含浸材料と繊維との混合物をシリコーン上に均一にコーティングすること又は分与することを含んでもよい。従って、オペレータが、シリコーン系要素を織物系要素に結合する前に、シリコーン系要素、特にその繊維質表面を調製するための任意の追加のステップを行う必要を排除する。これにより、効率が増し、結合剤を保管する必要を排除する。
【００１０】
別の実施形態においては、繊維はコーティングされなくてもよく、方法の更なるステップは、シリコーンが硬化した後における、適切な結合剤の、繊維質材料への塗布であってもよい。これにより、２つの要素の結合の特定要件が幾何学的制約によるものであっても所望の動作要件によるものであっても、オペレータがその特定要件に合わせて結合剤の塗布を正確に調整することが可能になる。
【００１１】
方法の更に別の実施形態は、結合剤が硬化される前に、オペレータが、シリコーン系要素の繊維質表面を織物系要素の結合表面上に配置するステップを含んでもよい。これは、更なる追加のステップなしに２つの要素間の結合が完了されるという利点を提供する。
【００１２】
方法の更に別の実施形態は、二重硬化（dual-cure）型接着剤の使用を含んでもよく、これは、結合剤が予備的に硬化された後、織物系要素の結合表面をシリコーン系要素の繊維質表面上に配置する追加のステップを可能にしてもよい。このステップは、尚、全製造ステップを完了させる一方で、シリコーン系要素と織物系要素とが別個に製造され、且つ別個に保管されることを可能にするという利点を提供する。即ち、結合剤は繊維質材料に塗布され、シリコーン系要素が保管される前に予備的に硬化させる。シリコーン系要素と織物系要素とを接触させると、硬化の第２ステージが実施されてもよい。
【００１３】
一実施形態においては、方法は、結合剤を熱活性化させるために、シリコーン系要素及び織物系要素に熱を印加する追加の好適なステップを含んでもよい。これは、方法の前述の実施形態と組み合わせた場合、方法の異なるステップが異なる位置で完了される可能性を可能にするという利点を提供する。例えば、シリコーン系要素は１つの供給元によって製造されてもよく、結合剤が塗布されてもよく（繊維質材料が予備含浸されない場合）、その後、シリコーン系要素は第１の場所に保管されてもよい。同時に、別の供給元が織物系要素を第２の場所にて製造及び保管することが可能であり、第３の場所において、２つの要素が受け取られ、記載された方法に従い組み立てられ、結合剤を活性化することによって結合されてもよい。
【００１４】
本発明の別の態様においては、シリコーン系要素及び織物系要素のアセンブリが開示される。
【００１５】
その一実施形態においては、シリコーン系要素は、繊維質表面を含んでもよく、前記繊維質表面は、シリコーンに部分的に絡み合い且つシリコーンから部分的に突出した繊維を更に含む。繊維は、シリコーンに部分的に絡み合った繊維質材料の一部であってもよい。織物系要素は可撓性の導電性要素を含んでもよい。導電性要素は好ましくは電気的に活性の織物繊維であってもよく、或いは、別のプリント回路技術を使用する。更に、電気的に活性の織物繊維の第１の表面に配置された、少なくとも１つの電気的に活性の構成要素、例えば、発光ダイオード（ＬＥＤ）があってもよい。
【００１６】
アセンブリの更に別の好適な実施形態においては、シリコーン系要素は、電気的に活性の織物繊維上に配置された電気的に活性の構成要素の位置に対応するように配置された、インプレッションを有するような形状とされてもよい。これらインプレッションは、透明又は半透明のキャップ、レンズ又はノブの形状とされてもよく、更に、丸形構造のものであっても、立方形構造のものであっても、幾何学的形状及びランダム形状を含む、その任意の組み合わせであってもよい。
【００１７】
シリコーン系要素の少なくとも一部は、射出成形若しくは注型のいずれかの成形によって、又はシリコーン系要素のシリコーン材料を局所的に添加、除去若しくは再成形（例えば、エンボス加工）することによりシリコーン系要素をパターニングすることによって、所望の形状へと形成されてもよい。
【００１８】
アセンブリの好適な実施形態においては、繊維質材料は、シートとして提供されてもよい。シートには、電気的に活性の構成要素の配置に対応する穴が設けられてもよい。これら電気的に活性の構成要素は、好ましくは、ＬＥＤであり、繊維質シート内の穴は、シリコーン系要素を通過する光の最適な透過を可能にする。シート内に設けられた穴は、電気的に活性の構成要素の繊維質材料との任意の位置合わせ不良を相殺する手段を提供してもよい。これは、繊維質材料をＸ−Ｙ平面において延伸及び／又は変形することによって実施されてもよい。
【００１９】
更なる好適な実施形態においては、アセンブリは上述の手法で組み立てられてもよく、穴は、アセンブリ内に、位置合わせされた配向で形成されてもよい。これら穴は電気的に活性の構成要素間に配置されてもよく、穴は、アセンブリの通気性を増加させる一方で、アセンブリ内の電気的に活性の構成要素に気体又は液体を接触させない。これら穴は、製造される際、結合が生じる時に各要素の穴が隣接する穴と位置合わせされることに注意を払いながら各要素に形成されてもよく、或いは、より好ましくは、穴は、結合が完了した後にアセンブリ内に形成されてもよく、従って、穴の位置合わせが確実となる。
【００２０】
電気的に活性の構成要素は、好ましくは、１つ又は複数のＬＥＤを含む。光源としてＬＥＤを使用することは、多くの利点を提供する。例えば、ＬＥＤはコンパクトであり、着用され得る、嵩張らず且つ可撓性のあるアセンブリでのその使用を容易にし、限定的な熱を発生させ、他の光源と比べた場合に省エネルギーであり、且つ複数のＬＥＤが、マッサージ効果の提供のため多くのシーケンスに従い切り替えられ得る。
【００２１】
一実施形態によれば、電気的に活性の構成要素は、約４５０〜４９５ｎｍの青色光の波長域において発光するＬＥＤであってもよい。他の波長域が使用されてもよく、これらは、紫色（３８０〜４５０ｎｍ）、緑色（４９５〜５７０ｎｍ）、黄色（５７０〜５９０ｎｍ）、橙色（５９０〜６２０ｎｍ）及び赤色（６２０〜７５０ｎｍ）である。開示される波長域の１つ又は複数の任意の組み合わせが使用されてもよい。
【００２２】
少なくとも１つの実施形態においては、シリコーン系要素は、シリコーン材料の成形によって形成されてもよく、シリコーン系要素は、注型成形又は射出成形されてもよい。シリコーン材料は型に分注される。この型は、単一キャビティを有してもよく、複数のキャビティを有してもよい。型がその内部に配置された複数のキャビティを有する場合、キャビティを結合する領域があることが好ましい。この領域は、型の第１の表面から凹んでいてもよい。この手法で成形される場合、第１の表面上に複数のインプレッションが形成されたシリコーン材料のシートが作製される。これらインプレッションは光源の位置に対応してもよい。シリコーン材料が型に分注されると、繊維質材料が塗布され、シリコーン材料が繊維質材料を部分的に濡らすようにする。
【００２３】
インプレッションは、任意の幾何学的形状又はランダム形状のものであっても、その組み合わせであってもよい。これにより、アセンブリに用いられる電気的に活性の構成要素の配置及び個々の要件に合うような、最適な形状又は形状範囲を可能にする。
【００２４】
射出成形は、機械を用いて、金型キャビティ内に圧力下で材料を射出するよく知られた技術であり、従って、簡潔に記載される。射出成形機は、通常、２つの主要アセンブリから成る金型ツールを使用して製品を製造するように構成されている。これらは型の雄型半片及び雌型半片としてよく知られている。型の雌型半片は、その表面から凹んだインプレッションを有する一方で、雄型は、その表面から上昇したインプレッションを有する。型の２つの半片が合わせられた時に、材料が流れ込み、従って、製品が形成される領域は、キャビティとしてよく知られている。雌型半片上の対応する穴とともに、型の１つの半片（通常、雄型半片）にて柱を使用することによって、２つの半片の直線的な位置合わせ（linear alignment）が確保される。柱は、通常、雄型半片の表面上に上昇した成形インプレッションを保護する必要性を理由として、雄型半片に配置される。
【００２５】
射出成形機にはプラテンが取り付けられている。プラテンは、金型ツールの２つの半片が配置される底板であり、それらは、通常、水平型射出成形機では垂直であり、垂直型射出成形機では水平である。プラテンの１つは一連のレールに配置されており、プラテンの１つが直線状に横切ることを可能にし、もう一方は所定の位置に固定されている。これらはそれぞれ、移動プラテン及び固定プラテンとしてよく知られている。
【００２６】
金型ツールはプラテンに、つまり、型の１つの半片がそれぞれのプラテンに、固定されている。機械は、ツール半片が整列し、分割面が接するように操作される。加圧された材料が、その後、キャビティ内に供給され、型は、材料が寸法安定性を維持するほど十分に冷却されるまで押し合わされたままとされる。
【００２７】
移動プラテン及びその各々の取り付けられた型半片は、固定プラテン及びその各々の取り付けられた型半片から離れ、成形された物品はキャビティから取り外されてもよい。型が押し合わされてから、材料が注入され、材料を十分に冷却して寸法安定性を生じさせ、型が分離され、成形された物品がキャビティから取り出されるまでの全時間は、サイクル時間としてよく知られている。
【００２８】
製造要件が増加し、故に、より短いサイクル時間が求められるにつれて、更なる技術が用いられてもよい。型半片は、例えば、冷却されてもよく、これは、通常、水冷によって実現される。冷却された流体を、外部冷却機に通じている一連の内部穿孔によって型半片に循環させる。
【００２９】
型の雌型半片には突出ピンが取り付けられてもよい。これらピンは、型半片が開かれると、成形部品を雌型キャビティから取り外す。これにより、機械が完全に自動化されることが可能になる。即ち、各サイクルの終了時に、成形部品が型から自動的に射出されるため、必要な材料が成形機械に充填され、その後、多くのサイクルを順次実施することができる。
【００３０】
成形部品に更なる物品が必要とされる場合、インサートローディング（insert loading）としてよく知られた技法が用いられてもよく、且つ多くの材料及び固定剤がこの手法で導入されてもよい。型は、インサートを所望の位置に配置するように構成される。これは、スタッドを受けるための孔を空けるほど簡単であってもよく、或いは、鉄を含むインサートを配置するために磁石が用いられてもよい。インサートは、部品の成形が開始する前に、型に装填される。
【００３１】
ＰＤＭＳは、シリコーン材料の一例であり、２成分系エラストマーである。１つの成分は基剤であり、第２の成分は硬化剤である。これらは上述の手法で射出成形され得るが、硬化後の材料を除去するのは極めて困難であり、機械の破損に至る可能性が非常に高いため、架橋が射出成形機のバレル内で起こらないようにするよう注意が払われる必要がある。硬化剤は、通常、注入ノズルの直前にて基剤成分に添加されるため、混合後の２成分系エラストマーが機械内を移動しなければならない距離が最小になる。
【００３２】
別の広く用いられている成形の方法は注型である。この方法は、１つの成分が基剤でありもう一方の成分が硬化剤である２成分系ポリマーなどの液体の材料を硬化前に成形する場合、及び材料が溶融している場合には、使用がより簡単である。注型成形は、所望の形状のキャビティを有する型に材料が注入又は分注される技法である。これら型は、通常、それらを上述の射出成形用型と区別するために注型用型と呼ばれる。異なるレベルの複雑さを有する多くのタイプの注型用型がある。最も単純なものは、その注型面（pour surface）、即ち、通常、最も上にある表面に単一のインプレッションが形成された、単一プレートであり得る。このタイプの型は、一般に、トレイ型（tray mold）と呼ばれる。トレイ型は、その注型面に複数のインプレッションアレイが形成されるように容易に適応可能である。これら複数のインプレッションを有する型は、より複雑な部品の注型を可能にするか、或いは、単に生産数を増加させる。
【００３３】
より複雑な注型用型は、成形部品の内部形状を形成するコアを有してもよく、コアは、機能において、射出成形用型の雄型部品に類似する。成形部品が、注入後、十分に冷却されると、コアは取り外され、成形部品は取り外され、その後、コアは交換され、次の注入に備えられる。注型用型においてはインサートも使用され得る。
【００３４】
アセンブリの一実施形態においては、シリコーン系要素を形成するために注型用型が用いられてもよい。この型は、複数のキャビティをアレイにて有してもよい。複数のキャビティはそれらを結合する領域を有してもよい。この結合領域は、型の注入線（pour line）よりも下である。型には、注入線までシリコーン材料が充填され、シリコーン材料層がキャビティを結合する。繊維質材料は、キャビティの位置に対応し、更に、電気的に活性の構成要素の位置に対応してもよい穴を有する繊維質シートとして提供されてもよい。
【００３５】
繊維質材料は型に配置されてもよく、毛管作用により、シリコーン材料が繊維質材料の一部に流れ込み、繊維質材料の一部を少なくとも部分的に濡らす。それ以上のシリコーン材料が型に分注されないため、毛管作用により、キャビティ内のシリコーン材料の表面の中心に窪みが形成され、従って、電気的に活性の構成要素が配置されてもよいインプレッションを形成する。繊維質材料はシリコーンが硬化される前に塗布されてもよく、従って、繊維質材料とシリコーン材料との間の絡み合いが可能な限り十分に進行するようにする。
【００３６】
アセンブリの更なる実施形態においては、取り外し可能なコアを備えた注型用型が使用されてもよい。注型する場合、方法は上に開示したものに類似する。即ち、シリコーン材料は、シリコーン材料の頂部が結合領域をちょうど覆う高さまで型に分注されてもよい。繊維質材料はシートとして提供されてもよく、このシートは、好ましくは、キャビティの位置に対応し、更には、好ましくは、電気的に活性の構成要素の位置に対応してもよい穴を有してもよい。この繊維質材料は、シリコーン材料の表面に塗布されてもよく、その後、型の雄型半片であると考えられ得るコアが挿入されてもよい。型のコアは、要求されるシリコーン系要素の内部形状に対応する上昇したインプレッションを有する。繊維質材料は、型のコアが型に挿入される前に型のコアに塗布されてもよい。挿入されると、型のコアは、最適な量のシリコーン材料が繊維質材料の少なくとも一部と絡み合う一方で、任意の余剰のシリコーン材料はツールから排出されるようにする。
【図面の簡単な説明】
【００３７】
【図１】本方法に従い組み立てられたアセンブリの一実施形態の分解組立断面図である。
【図２】本方法に従い組み立てられたアセンブリの一実施形態の断面図である。
【図３】スルーホールを示す、本方法に従い組み立てられたアセンブリの更なる実施形態の断面図である。
【図４】本方法に従い組み立てられたアセンブリの更なる実施形態の断面図である。
【図５】本方法に従うアセンブリの組立に用いられてもよい注型成形の一実施形態の断面図である。
【図６】毛管作用が生じる前の、本方法に従い組み立てられたアセンブリの一実施形態の断面図である。
【図７】毛管作用が生じた後の、本方法に従い組み立てられたアセンブリの一実施形態の断面図である。
【発明を実施するための形態】
【００３８】
図１は、本方法に従い組み立てられた例示的なアセンブリの分解組立断面図である。シリコーン系要素１は、繊維質材料２及び結合剤３の少なくとも一部と絡み合っている。織物系要素４は、電気的に活性の織物繊維５と、電気的に活性の織物繊維の接合面に配置された、電気的に活性の構成要素、好ましくはＬＥＤ６と、を含んでもよい。繊維質材料２及び結合剤３は、シリコーン系要素１と電気的に活性の織物繊維５との間の強固な結合を確実とする。
【００３９】
図２は、本方法に従い組み立てられたアセンブリの一実施形態の断面図である。電気的に活性の構成要素２０６は、電気的に活性の織物繊維２０５の接合面に配置されてもよい。この実施形態においては、電気的に活性の構成要素はＬＥＤであってもよく、これらＬＥＤはシリコーン系要素２０１を通して発光する。繊維質材料２０２は、ＬＥＤの位置に対応する穴が設けられたシートとして塗布されてもよい。これにより、ＬＥＤによって発せられた光が、繊維質材料２０２を通過する必要なくアセンブリを出ることを可能にする。繊維質材料２０２及び結合剤２０３は、シリコーン系要素２０１と電気的に活性の織物繊維２０５との間に結合を提供する。
【００４０】
図３は、本方法に従い組み立てられたアセンブリの更に別の実施形態の断面図である。電気的に活性の構成要素３０６は、電気的に活性の織物繊維３０５の第１の表面に配置されてもよい。この実施形態においては、電気的に活性の構成要素は、シリコーン系要素３０１を通して発光するＬＥＤであってもよい。繊維質材料３０２は、ＬＥＤの位置に対応する穴が設けられたシートとして塗布されてもよい。アセンブリ全体を貫通するスルーホール３０７があり、これらは、種々のよく知られた手法で形成されてもよい。即ち、穴は、各物品が製造される際に各物品に形成され、その後、アセンブリの組立時に慎重に位置合わせされてもよい。或いは、より好ましくは、アセンブリが本方法に従い組み立てられ、完成後に、穴３０７がアセンブリ内に形成されてもよい。これらスルーホールは、気体及び液体がアセンブリを透過することを可能にする一方で、気体又は液体がアセンブリ内の電気的に活性の構成要素３０６に接触できないようにする。この特徴は、アセンブリが皮膚に隣接して着用される場合の快適性が向上されるようにアセンブリの通気性を増加させるのに特に好適とされ得る。
【００４１】
図４は、本方法に従い組み立てられてもよいアセンブリの更に別の実施形態の断面図である。アセンブリは、ハウジング４０８内に配置されている。繊維質材料４０２は、結合剤４０３とシリコーン系要素４０１との間に配置されてもよい。結合剤４０３は、ハウジング４０８に直接結合するように配置されてもよい。結合剤４０３は、アセンブリ内の電気的に活性の織物繊維４０５の接合面に配置されてもよい電気的に活性の構成要素４０６が気体又は液体によって影響されないようにするため、アセンブリを、アセンブリが皮膚に隣接して着用される状況での使用に対し特に好適にする。
【００４２】
図５は、本方法に従うアセンブリの組立に用いられてもよい注型用型の一実施形態の断面図である。シリコーン材料、例えば、ＰＤＭＳから製作されたシリコーン系要素５０１は、キャビティ５０９内に分注され、型５１０の表面へと形成されてもよい。生産速度を増加させるため、及びより複雑なシリコーン系要素５０１が製造されることを可能にするため、表面へと形成される複数のキャビティ５０９を有する型が好ましい場合がある。キャビティ５０９と同じ面へと形成される型の領域５１１があってもよく、この領域５１１はキャビティ５０９を結合する。
【００４３】
図６は、本方法に従い組み立てられてもよいシリコーン系要素６０１の一実施形態の断面図である。シリコーン材料、例えば、ＰＤＭＳから製作されたシリコーン系要素６０１は、図５に従い、型６１０へと分注されてもよい。シリコーン系要素６０１を製作するために使用されるシリコーン材料は、領域６１１の基部を覆う高さまで充填されてもよい。シリコーン材料が硬化する前に、シリコーン材料の表面に繊維質材料６０２が配置されてもよい。キャビティ６０９に充填されたシリコーン材料上に繊維質材料６０２が延出しないように注意を払う必要がある。これは、繊維質材料６０２を、キャビティの位置に対応する適切な穴を有し得る繊維質シートとして提供することによって容易に実現され得る。結合剤６０３は、その後、塗布されてもよい。
【００４４】
図７は、本方法に従い組み立てられてもよいシリコーン系要素の一実施形態の断面図である。シリコーン材料、例えば、ＰＤＭＳから製作されたシリコーン系要素７０１は、型７１０内の領域７１１の基部を覆う高さまで充填されてもよい。シリコーン材料が硬化する前に、シリコーン材料の表面に繊維質材料７０２が配置されてもよい。キャビティ７０９に充填されたシリコーン材料上に繊維質材料７０２が延出しないように注意を払う必要がある。これは、繊維質材料７０２を、キャビティの位置に対応する適切な穴を有する繊維質シートとして提供することによって容易に実現され得る。結合剤７０３は、その後、塗布されてもよい。毛管作用によって繊維質材料７０２の少なくとも一部にシリコーン材料が流れ込み、従って、繊維質材料を部分的に濡らす。それ以上のシリコーン材料が型７１０内に分注されないため、毛管作用により、キャビティ７０９内のシリコーン材料の表面の中心に窪みを形成してもよく、従って、電気的に活性の構成要素が配置されてもよいインプレッションが形成される。
【図１】
2016525461.tif 000003
【図２】
2016525461.tif 000004
【図３】
2016525461.tif 000005
【図４】
2016525461.tif 000006
【図５】
2016525461.tif 000007
【図６】
2016525461.tif 000008
【図７】
2016525461.tif 000009
【国際調査報告】
2016525461.tif 000010
2016525461.tif 000011